(57)【要約】【課題】ノズルの外周壁に設けられる係止突起のその内周面からの突出高さを高くすることを可能として、ノズルの装着部への装着強度を高めることができるトリガー式液体噴出器を提供することである。【解決手段】噴出器本体１１は、送出口３９に連なる円筒状の装着部４２を備え、ノズル４１は、装着部４２の開口端を覆うとともに噴出孔４４が設けられた隔壁４１ａと、隔壁４１ａの外周に連なり装着部４２の外周を覆う円筒状の外周壁４１ｂとを備え、隔壁４１ａには、外周壁４１ｂとの連接部分に沿って貫通孔４５が設けられ、外周壁４１ｂの内周面の、外周壁４１ｂの中心軸に沿う方向から見て貫通孔４５と重複する範囲に、外周壁４１ｂの径方向内側に向けて突出する係止突起４６が一体に設けられ、係止突起４６が装着部４２の外周面に設けられた突起部４７にアンダーカット係合することにより、ノズル４１が装着部４２に装着される。【選択図】図１
2015048121.tif 000002
【特許請求の範囲】
【請求項１】
液体を収容する容器の口部に装着される噴出器本体と、トリガーの操作により作動して前記容器内の液体を前記噴出器本体に設けられた送出流路を通して送出口に圧送するポンプと、前記噴出器本体に装着されて該送出口に圧送された液体を外部に噴出するノズルと、を備えたトリガー式液体噴出器であって、
前記噴出器本体は、前記送出口に連なる円筒状の装着部を備え、
前記ノズルは、前記装着部の開口端を覆うとともに噴出孔が設けられた隔壁と、該隔壁の外周に連なり前記装着部の外周を覆う円筒状の外周壁とを備え、
前記隔壁には、前記外周壁との連接部分に沿って貫通孔が設けられ、
前記外周壁の内周面の、前記外周壁の中心軸に沿う方向から見て前記貫通孔と重複する範囲に、該外周壁の径方向内側に向けて突出する係止突起が一体に設けられ、
前記係止突起が前記装着部の外周面に設けられた突起部にアンダーカット係合することにより、前記ノズルが前記装着部に装着されていることを特徴とするトリガー式液体噴出器。
【請求項２】
前記隔壁に、前記外周壁の中心軸を中心として点対称に配置される一対の円弧状の前記貫通孔が設けられ、一対の前記貫通孔の間に、前記外周壁の径方向に向けて延びるとともに、一端が前記噴出孔の出口に付近に開口し、他端が前記外周壁の外部に開口する空気導入孔が設けられる請求項１に記載のトリガー式液体噴出器。
【請求項３】
前記噴出孔に対向する泡生成孔を備えた蓋体が前記ノズルに薄肉のヒンジ部を介して一体に設けられ、前記蓋体に係合して該蓋体を前記噴出孔から離れた開状態に保持する保持爪が前記ノズルの外周面に設けられる請求項１または２に記載のトリガー式液体噴出器。
【請求項４】
前記ノズルは、前記装着部に対して、前記噴出孔が前記送出口に連通される開位置と、前記噴出孔が前記送出口に対して遮断される閉位置との間で回動可能である請求項１〜３の何れか１項に記載のトリガー式液体噴出器。
【請求項５】
前記係止突起の両端にそれぞれストッパが設けられ、該ストッパに前記突起部が当接することにより前記ノズルの回転角度が規制される請求項１〜４の何れか１項に記載のトリガー式液体噴出器。
【発明の詳細な説明】
【技術分野】
【０００１】
本発明は、液体を収容する容器の口部に取り付けられて容器内の液体を霧状または泡状にしてノズルから噴出するトリガー式液体噴出器に関する。
【背景技術】
【０００２】
カビ取り剤、洗剤、衣料用糊剤、住居用ワックス、整髪剤、芳香剤等の液体を収容する容器の口部に取り付けられる噴出器としては、トリガーの操作によりポンプを作動させてこれらの液体をノズルから霧状又は泡状にして噴出するトリガー式液体噴出器が知られている。
【０００３】
このようなトリガー式液体噴出器は、装着キャップ等により容器の口部に装着される噴出器本体を備え、この噴出器本体にポンプが装着されるとともに当該ポンプに圧送される液体の送出流路が設けられ、この送出流路の出口端である送出口にはノズルが装着されている。ノズルには送出流路よりも小径の噴出孔が設けられており、ポンプにより送出流路を経て送出口にまで圧送されてきた液体はこの噴出孔から外部に向けて霧状又は泡状に噴出される。また、ノズルを噴出器本体に回動可能に装着し、ノズルを回動させることで、噴出孔の開閉を切り替えるようにしたものも知られている。
【０００４】
このようなノズルは、通常、金型を用いた樹脂材料の射出成形により、噴出孔を備えた隔壁の外周に円筒状の外周壁が一体に設けられるとともに、その外周壁の内周面に該内周面から径方向内側に突出する環状の係止突起が一体に設けられた形状に形成される。一方、噴出器本体には、送出口に連なる円筒状の装着部が一体に設けられ、この装着部の外周面には突起部が一体に設けられる。そして、ノズルは、その外周壁が装着部の外側に嵌め込まれるとともに、係止突起が突起部にアンダーカット係合することにより、装着部に係止された状態で回動可能に装着される（例えば特許文献１）。
【先行技術文献】
【特許文献】
【０００５】
【特許文献１】特開平１１−２９０７３１号公報
【発明の概要】
【発明が解決しようとする課題】
【０００６】
トリガー式液体噴出器では、ノズルに設けた小さな噴出孔から大量の液体を霧状または泡状にして噴出するため、液体噴出時における送出流路やノズル内の圧力が高くなる。そのため、ノズルの外周壁に設けられる係止突起の突出高さを高くして、ノズルの装着部への装着強度を高める必要がある。
【０００７】
しかしながら、特許文献１に記載されるノズルは、その形状上、金型による成形後に、その係止突起の部分を金型から無理抜きする必要があるので、係止突起の外周壁からの突出量を十分に大きくすることができず、そのためノズルの装着部に対する装着強度を十分に高めることができないという問題点があった。
【０００８】
本発明は、このような点を解決することを課題とするものであり、その目的は、ノズルの外周壁に設けられる係止突起のその内周面からの突出高さを高くすることを可能として、ノズルの装着部への装着強度を高めることができるトリガー式液体噴出器を提供することにある。
【課題を解決するための手段】
【０００９】
本発明のトリガー式液体噴出器は、液体を収容する容器の口部に装着される噴出器本体と、トリガーの操作により作動して前記容器内の液体を前記噴出器本体に設けられた送出流路を通して送出口に圧送するポンプと、前記噴出器本体に装着されて該送出口に圧送された液体を外部に噴出するノズルと、を備えたトリガー式液体噴出器であって、前記噴出器本体は、前記送出口に連なる円筒状の装着部を備え、前記ノズルは、前記装着部の開口端を覆うとともに噴出孔が設けられた隔壁と、該隔壁の外周に連なり前記装着部の外周を覆う円筒状の外周壁とを備え、前記隔壁には、前記外周壁との連接部分に沿って貫通孔が設けられ、前記外周壁の内周面の、前記外周壁の中心軸に沿う方向から見て前記貫通孔と重複する範囲に、該外周壁の径方向内側に向けて突出する係止突起が一体に設けられ、前記係止突起が前記装着部の外周面に設けられた突起部にアンダーカット係合することにより、前記ノズルが前記装着部に装着されていることを特徴とする。
【００１０】
本発明は、上記構成において、前記隔壁に、前記外周壁の中心軸を中心として点対称に配置される一対の円弧状の前記貫通孔が設けられ、一対の前記貫通孔の間に、前記外周壁の径方向に向けて延びるとともに、一端が前記噴出孔の出口に付近に開口し、他端が前記外周壁の外部に開口する空気導入孔が設けられるのが好ましい。
【００１１】
本発明は、上記構成において、前記噴出孔に対向する泡生成孔を備えた蓋体が前記ノズルに薄肉のヒンジ部を介して一体に設けられ、前記蓋体に係合して該蓋体を前記噴出孔から離れた開状態に保持する保持爪が前記ノズルの外周面に設けられるのが好ましい。
【００１２】
本発明は、上記構成において、前記ノズルは、前記装着部に対して、前記噴出孔が前記送出口に連通される開位置と、前記噴出孔が前記送出口に対して遮断される閉位置との間で回動可能とすることができる。
【００１３】
本発明は、上記構成において、前記係止突起の両端にそれぞれストッパが設けられ、該ストッパに前記突起部が当接することにより前記ノズルの回転角度が規制されるのが好ましい。
【発明の効果】
【００１４】
本発明によれば、ノズルの隔壁にその外周壁との連接部分に沿って貫通孔を設け、外周壁の内周面の外周壁の中止軸に沿う方向から見て貫通孔と重複する範囲に係止突起を設けるようにしたので、このノズルを、外周壁の中心軸に沿う方向に向けて組み合わされる一対の金型を用いて成形するにあたり、一方の金型と他方の金型との間で隔壁を成形しつつ、一方の金型の貫通孔を形成する突出部位と他方の金型との外周壁の中心軸に沿う方向への組み合わせ部分で係止突起を形成することができる。したがって、ノズルを金型により成形するようにしても、成形後のノズルを、その係止突起の部分を無理抜きすることなく当該金型から容易に取り出すことができ、これにより、係止突起の外周壁の内周面からの突出高さを所望の値に設定することを可能として、ノズルの装着部に対する装着強度を高めることができる。
【図面の簡単な説明】
【００１５】
【図１】本発明の一実施の形態であるトリガー式液体噴出器の断面図である。
【図２】図１に示すトリガー式液体噴出器のノズルが装着される部位を拡大して示す拡大断面図である。
【図３】図２におけるＡ−Ａ線に沿う断面図である。
【図４】（ａ）は閉位置とされた状態のノズルを背面側から見た断面図であり、（ｂ）は開位置とされた状態のノズルを背面側から見た断面図である。
【図５】ノズルを成形する金型の組み合わせを示す説明図である。
【図６】図１に示すノズルの単体の正面図である。
【図７】図６におけるＢ−Ｂ線に沿う断面の要部を示す図である。
【図８】図６に示すノズルの平面図である。
【発明を実施するための形態】
【００１６】
以下、図面を参照して、本発明をより具体的に例示説明する。
【００１７】
図１に示す本発明の一実施の形態であるトリガー式液体噴出器１は、例えば、カビ取り剤、洗剤、衣料用糊剤、住居用ワックス、整髪剤、芳香剤等の液体を収容する容器２の口部２ａに取り付けて使用されるものである。このトリガー式液体噴出器１は、容器２の口部２ａに取り付けられる樹脂製の噴出器本体１１を備えている。
【００１８】
噴出器本体１１は容器２の口部２ａに対応した円筒状の装着筒部１２を備え、この装着筒部１２にはその外周面に設けられた鍔部１２ａに係止されて装着キャップ１３が装着されている。装着キャップ１３の内周面には雌ねじ１３ａが設けられ、この装着キャップ１３を容器２の口部２ａの雄ねじにねじ結合させることで噴出器本体１１つまりトリガー式液体噴出器１を容器２の口部２ａに装着ことができる。なお、符号１４は、容器２の口部２ａと鍔部１２ａとの間を密封するシール部材である。
【００１９】
噴出器本体１１は、装着筒部１２からその中心軸に沿う方向に向けて延びる起立部１５と、この起立部１５に対して直交する方向に延びる延出部１６とを備えた外形略Ｌ字形に形成されている。起立部１５の内部には装着筒部１２に連通する吸入流路Ｐ１が設けられ、この吸入流路Ｐ１の下端には容器２の内部に挿入される吸引用のチューブ１７が接続されている。一方、延出部１６には吸入流路Ｐ１に対して直交する方向に延びる送出流路Ｐ２が設けられ、吸入流路Ｐ１と送出流路Ｐ２との間は逆止弁室Ｒ１となっている。なお、吸入流路Ｐ１と逆止弁室Ｒ１は、隔壁１８ａにより内部が起立部１５の中心軸に沿う方向に２分された筒体１８が起立部１５に組み込まれて構成されている。
【００２０】
噴出器本体１１にはポンプ２１が装着されている。このポンプ２１は噴出器本体１１の装着筒部１２と延出部１６との間に嵌め込まれて固定されるシリンダ部材２２を備えている。シリンダ部材２２はシリンダ筒部２２ａと区画筒部２２ｂとを備え、これらの間は円環状の区画室２２ｃとなっている。この区画室２２ｃは筒体１８に形成された送出孔２３を介して逆止弁室Ｒ１に連通している。シリンダ筒部２２ａには一端が閉塞された円筒状のピストン２４が、シリンダ筒部２２ａの中心軸に沿う方向に移動自在に装着されている。このピストン２４の円筒状の先端部分の外周側にはシリンダ筒部２２ａの内周面に摺接するシール部２４ａが一体に形成されている。
【００２１】
噴出器本体１１の起立部１５には円筒状の吸入筒部２５が一体に設けられている。この吸入筒部２５は区画筒部２２ｂの内側に該区画筒部２２ｂと中心軸を一致させて配置され、その一端側は筒体１８に設けられた吸入孔２６を介して吸入流路Ｐ１に連通している。吸入筒部２５のポンプ２１内に露出する先端面２５ａは、径方向内側に向かうに従って吸入孔２６の側へ向けて凹むテーパ面（円錐面）となっており、この先端面２５ａには吸入側逆止弁３１が配置されている。
【００２２】
吸入側逆止弁３１は、その球状面が吸入筒部２５の先端面２５ａに当接可能な直径を有する半球状の弁本体３１ａを備えている。弁本体３１ａは螺旋状の弾性部３１ｂにより区画筒部２２ｂの内周面に一体に連結され、この弾性部３１ｂにより先端面２５ａの側に向けて付勢されている。これにより、弁本体３１ａはその球状面において弁座である吸入筒部２５の先端面２５ａに押し付けられた状態で当接している。弾性部３１ｂは区画筒部２２ｂの側から弁本体３１ａの側に向けて徐々に縮径する形状とされ、弁本体３１ａが先端面２５ａから離れる方向に向けて弾性変形することができる。このような構成により、吸入側逆止弁３１は吸入流路Ｐ１から吸入孔２６を通したポンプ２１内への液体の吸入を許容するとともにポンプ２１内から吸入孔２６を通した吸入流路Ｐ１への液体の逆流を阻止する。
【００２３】
一方、逆止弁室Ｒ１には送出側逆止弁３２が設けられている。この送出側逆止弁３２は板状の弁本体３２ａを有し、この弁本体３２ａは、湾曲した弾性部３２ｂによりポンプ２１側に向けて付勢されて筒体１８の内周面の段差に当接している。このような構成により、送出側逆止弁３２はポンプ２１から送出孔２３を通した送出流路Ｐ２への液体の送出を許容するとともに送出流路Ｐ２から送出孔２３を通したポンプ２１内への液体の逆流を阻止する。
【００２４】
噴出器本体１１には枢軸３３により回動自在に支持されてトリガー（操作レバー）３４が設けられている。ピストン２４には連結片３５が一体に設けられ、この連結片３５はトリガー３４の中間部分に設けられた孔部３４ａに差し込まれた状態でピン部材３６によりトリガー３４に回動自在に連結されている。また、トリガー３４には一端が噴出器本体１１に固定保持された湾曲形状の板ばね３７の先端が係止され、この板ばね３７により、トリガー３４はポンプ２１から離れる方向（図中においては枢軸を中心とした時計回り方向）に付勢されている。なお、噴出器本体１１とポンプ２１はカバーＣにより覆われ、トリガー３４はカバーＣの下方から突出している。
【００２５】
トリガー３４を手動で操作し、ポンプ２１に向けて図１中二点鎖線で示すストローク端位置にまで引くと、吸入側逆止弁３１が閉じ、ピストン２４が区画室２２ｃ内に押し込まれてポンプ２１内の液圧が高められ、ポンプ２１内の液体が送出孔２３から逆止弁室Ｒ１を介して送出流路Ｐ２に送出される。このとき、ピストン２４の内周面と区画筒部２２ｂの外周面との間には隙間が設けられているので、区画室２２ｃ内の液体だけでなくピストン２４や区画筒部２２ｂの内側にある液体をも含んだ大容量の液体を送出流路Ｐ２に向けて送出することができる。
【００２６】
トリガー３４の操作が解除されると、板ばね３７の弾性力によりトリガー３４は初期位置に復帰し、その復帰動作に伴って送出側逆止弁３２が閉じ、吸入側逆止弁３１が開いて、容器２内の液体がチューブ１７と吸入流路Ｐ１とを介して吸入孔２６からからポンプ２１内に吸引される。なお、シリンダ筒部２２ａにはトリガー３４がストローク端にまで操作されたときに外部に露出する吸気孔３８が設けられ、この吸気孔３８から吸気された空気がポンプ２１のシリンダ筒部２２ａと噴出器本体１１との間の環状の隙間と装着筒部１２の上面壁に設けられた通気孔１２ｂ，１２ｃを介して容器２内に吸入されることで、液体を噴出した分、容器２内に空気が置換されるようになっている。
【００２７】
このように、本発明のトリガー式液体噴出器１を容器２の口部２ａに装着し、トリガー３４の引き操作と解除操作とを繰り返すことにより、ポンプ２１を作動させて容器２内の液体を送出流路Ｐ２を通してその送出口３９にまで圧送することができる。
【００２８】
噴出器本体１１の延出部１６の先端には、ポンプ２１により容器２から送出口３９にまで圧送された液体を外部に霧状又は泡状にして噴出させるためのノズル４１が装着されている。
【００２９】
図２に示すように、噴出器本体１１の延出部１６の先端には、ノズル４１を装着するために装着部４２が一体に設けられている。この装着部４２は円筒状に形成されて延出部１６の先端から突出しており、その内側の下方側に送出流路Ｐ２の出口端である送出口３９が開口している。つまり、装着部４２はその内側において送出流路Ｐ２の送出口３９に連通している。また、延出部１６の先端には装着部４２と中心軸を一致させて円柱状の切替え軸部４３が一体に設けられている。
【００３０】
ノズル４１は金型を用いた樹脂材料の射出成形品となっており、装着部４２の開口端を覆う円板状の隔壁４１ａと、この隔壁４１ａの外周に連なる円筒状に形成されて装着部４２の外周を覆う外周壁４１ｂとを備えている。また、図４に示すように、ノズル４１の外郭は、４つの外壁を備えるとともに、その中心軸に沿う方向、つまり正面側から見て略正方形状の角筒体４１ｃにより構成され、隔壁４１ａや外周壁４１ｂはこの角筒体４１ｃの内側に一体に形成されている。
【００３１】
ノズル４１の隔壁４１ａには、この隔壁４１ａを外周壁４１ｂの中心軸に沿って貫通する噴出孔４４が設けられている。噴出孔４４は送出口３９よりも十分に断面積が小さい小孔とされている。隔壁４１ａの装着部４２の側を向く内側面には噴出孔４４と同軸に円筒状の閉塞筒部４１ｄが一体に設けられ、この閉塞筒部４１ｄが装着部４２の内側に嵌合することで、装着部４２の開口端が隔壁４１ａにより閉塞されている。また、隔壁４１ａの内側面には閉塞筒部４１ｄとその中心軸を一致させかつその内側に位置するように切替え筒部４１ｅが一体に設けられ、この切替え筒部４１ｅが切替え軸部４３の外側に嵌合している。閉塞筒部４１ｄと切替え筒部４１ｅは、それぞれ装着部４２と切替え軸部４３に対して相対回転自在となっており、つまりノズル４１はその隔壁４１ａの中心軸を中心として装着部４２に対して回動可能となっている。
【００３２】
切替え軸部４３の先端面には円形に凹む凹部４３ａが設けられ、また、その先端側の所定範囲における外周面には凹部４３ａに連通するとともに切替え軸部４３の中心軸に沿う方向に延びる一対の接続流路４３ｂが切替え軸部４３の中心軸を中心として対称に設けられている。一方、切替え筒部４１ｅの内周面には、その先端から切替え軸部４３の接続流路４３ｂに重複する位置にまで切替え筒部４１ｅの中心軸に沿う方向に延びる一対の接続流路４１ｆが切替え筒部４１ｅの中心軸を中心として対称に設けられている。図４（ａ）に示すように、ノズル４１が閉位置にあるときには、切替え軸部４３の接続流路４３ｂと切替え筒部４１ｅの接続流路４１ｆとが回転方向にずれて非連通状態となり、ノズル４１は噴出孔４４が送出口３９に対して遮断されて液体を噴出ができない閉状態とされる。一方、図４（ｂ）に示すように、ノズル４１が閉位置から装着部４２に対して９０度回転した開位置にあるときには、切替え軸部４３の接続流路４３ｂと切替え筒部４１ｅの接続流路４１ｆとが連通し、これによりノズル４１は噴出孔４４が送出口３９に連通されて液体を噴出可能な開状態とされる。さらにノズル４１を９０度回転させることにより、再度ノズル４１を閉位置とすることができる。このように、ノズル４１を閉位置と開位置との間で回動させることにより、噴出孔４４の開閉を切り替えることができる。
【００３３】
図２〜図４に示すように、ノズル４１の隔壁４１ａには、その外周壁４１ｂとの連接部分に沿って延びる一対の貫通孔４５が設けられている。これらの貫通孔４５は、外周壁４１ｂの中心軸を中心として約９０度の範囲で延びるとともに外周壁４１ｂの中心軸を中心として点対称に配置される一対の円弧状の孔として形成されている。
【００３４】
また、ノズル４１の外周壁４１ｂの内周面の隔壁４１ａよりも先端側には、その径方向内側に向けて突出する一対の係止突起４６が設けられている。図４に示すように、これらの係止突起４６は、それぞれ外周壁４１ｂの中心軸に沿う方向から見て、対応する貫通孔４５と重複した範囲内に位置するように、貫通孔４５と同一の範囲で外周壁４１ｂの内周面に沿って周方向に延びる円弧状に形成されている。
【００３５】
一方、図３、図４に示すように、装着部４２の外周面には、これらの係止突起４６に対応した一対の突起部４７が一体に設けられている。これらの突起部４７は装着部４２の外周面から径方向外側に突出する板状に形成され、その周方向幅は係止突起４６の約１／４程度とされている。
【００３６】
図３に示すように、ノズル４１が装着部４２に装着されると、その係止突起４６が装着部４２の突起部４７を乗り越えて当該突起部４７にアンダーカット係合する。これにより、ノズル４１は突起部４７によりその中心軸に沿う方向に係止されて装着部４２からの離脱が防止されつつ、装着部４２に対して回動可能に装着される。また、一対の係止突起４６は約９０度の範囲で互いに点対称に設けられているので、図４（ａ）、（ｂ）に示すように、ノズル４１を閉位置と開位置との間で回動させても常に係止突起４６が突起部４７に係合してノズル４１が装着部４２から外れることはない。
【００３７】
なお、符号４８は装着部４２の外周面に設けられた突起であり、この突起４８が外周壁４１ｂの内周面に設けられた突起４９を乗り越えることでノズル４１を開位置または閉位置にまで回転させたときにクリック感が生じるようになっている。また、係止突起４６の両端にはそれぞれストッパＳが設けられ、これらのストッパＳに突起部４７が当接することにより、ノズル４１の回転角度が９０度に規制されるようになっている。この９０度の範囲でノズル４１を回動させることにより、噴出孔４４を閉状態から開状態、開状態から閉状態へと切り替えることができる。
【００３８】
ノズル４１は、隔壁４１ａに設けられた貫通孔４５とこれに対応する係止突起４６が一対設けられる構成に限らず、ノズル４１を装着部４２に対してその中心軸に沿う方向に係止しつつ装着部４２に回転可能に装着することができる構成であれば、例えば、３つ以上の貫通孔４５および係止突起４６を周方向に等間隔に並べて設けるなど、種々の構成とすることもできる。
【００３９】
図５はノズルを成形する金型の組み合わせ面を示す説明図である。このノズル４１は、隔壁４１ａに外周壁４１ｂとの連接部分に沿って貫通孔４５を設け、外周壁４１ｂの内周面の、この外周壁４１ｂの中心軸に沿う方向から見て貫通孔４５と重複する範囲内に位置するように係止突起４６を設けるようにしたので、図５に示すように、このノズル４１を、外周壁４１ｂの中心軸に沿う方向に向けて組み合わされる一対の金型Ｍ１，Ｍ２を用いた樹脂成形により形成するにあたり、一方の金型Ｍ１と他方の金型Ｍ２との間で隔壁４１ａを成形しつつ、一方の金型Ｍ１の貫通孔４５を形成する部分と他方の金型Ｍ２との組み合わせ部分で係止突起４６を形成することができる。したがって、成形後のノズル４１を金型Ｍ１，Ｍ２から取り出す際には、何れの金型Ｍ１，Ｍ２に対しても係止突起４６を無理抜きすることなくノズル４１を容易に取り出すことができる。したがって、金型Ｍ１，Ｍ２を用いた樹脂材料の射出成形によりノズル４１を形成するにあたり、金型Ｍ１，Ｍ２からの無理抜きの制限なく係止突起４６を所望の突出高さに設計することができるので、ノズル４１の外周壁４１ｂの内周面に設ける係止突起４６を所望の突出高さとして、ノズル４１の装着部４２に対する装着強度を必要十分な強度にまで高めることができる。よって、トリガー３４が操作され、ノズル４１の小さな噴出孔４４から大量の液体が噴出する際に、送出流路Ｐ２やノズル４１内の圧力が高まっても、ノズル４１は装着部４２に確実に保持されて装着部４２から離脱することがなく、このトリガー式液体噴出器１の作動信頼性が高められることになる。
【００４０】
図２に示すように、隔壁４１ａの外側を向く面には、噴出孔４４と中心軸を一致させて円筒状の噴出筒５１が一体に設けられている。この噴出筒５１の内周面は、その内径が開口端側よりも隔壁側が小径となる２段形状となっており、噴出孔４４がその底面に開口している。
【００４１】
図６に示すように、ノズル４１の隔壁４１ａの外側面には、一対の円弧状の貫通孔４５に対してその周方向の間の部分に位置するように、一対のトンネル部５２が一体に設けられている。これらのトンネル部５２は、それぞれ一端が噴出筒５１の外周面に連なるとともに他端が角筒体４１ｃの外周面に連ねられており、互いに角筒体４１ｃの中心軸を中心として点対称に配置されている。これらのトンネル部５２の内部は外周壁４１ｂや隔壁４１ａの径方向に向けて延びる空気導入孔５３となっており、この空気導入孔５３の一端はノズル４１の外周面に開口する空気取り入れ口５３ａとなっており、他端は噴出筒５１の小径部分の内周面において２つに分岐しつつ噴出孔４４の出口付近に開口する一対の空気供給口５３ｂとなっている。これらの空気供給口５３ｂは空気取り入れ口５３ａよりもその高さ寸法および幅寸法が小さくされ、つまりその断面積が小さくされている。
【００４２】
このような構成により、ノズル４１が開位置の状態でトリガー３４が操作されてノズル４１の噴出孔４４から液体が霧状に噴出されると、噴出孔４４から噴出された液体により噴出筒５１の内側が負圧となり、この負圧により空気取り入れ口５３ａから空気導入孔５３へ空気が取り込まれ、この空気が空気供給口５３ｂから噴出筒５１の内側に供給される。したがって、液体として例えば洗剤等の発泡性を有するものを用いた場合には、噴出孔４４から噴出する霧状の液体に、空気供給口５３ｂから噴出筒５１の内側に供給された空気が混合されて泡状として外部に噴出させることができる。
【００４３】
このように、ノズル４１の隔壁４１ａの一対の貫通孔４５の間に空気導入孔５３を形成するトンネル部５２を一体に設けるようにしたので、隔壁４１ａに貫通孔４５を設ける構成としても、トンネル部５２により隔壁４１ａの強度を高めて隔壁４１ａの変形や破損等を防止することができる。また、上記のようにノズル４１の隔壁４１ａの強度を高めつつ、噴出孔４４の近傍に空気を導入する構成とすることにより、噴出孔４４から噴出される液体を効率よく泡状化させることができる。
【００４４】
ノズル４１には蓋体としてノズルカバー６１が設けられている。図６に示すように、ノズルカバー６１は、ノズル４１の角筒体４１ｃの開口端の形状に対応した略正方形の板状に形成され、その中心には泡生成孔６２が設けられている。図示する場合では、泡生成孔６２はノズル４１の噴出筒５１に対応した貫通孔６２ａの内周面から径方向内側に向けて突出する５本の先端が丸みを帯びた柱状体６２ｂを周方向に等間隔に並べて配置した構成となっているが、噴出孔４４から噴出された液体と衝突して当該液体を泡状化させることができる障害部分を備えたものであれば、例えばメッシュ状の孔など、他の形状とすることもできる。
【００４５】
ノズルカバー６１は金型を用いた樹脂材料の射出成形により、ノズル４１の角筒体４１ｃの先端における一辺に薄肉のヒンジ部６３を介して一体に設けられている。ノズルカバー６１は、このヒンジ部６３を中心として、角筒体４１ｃの先端つまりノズル４１の先端を覆って泡生成孔６２が噴出孔４４に対向する閉位置と、角筒体４１ｃの上面に沿って配置される開位置との間で回動可能となっている。ノズルカバー６１には泡生成孔６２を囲うボス部６４が一体に設けられ、ノズルカバー６１が閉位置のときにはボス部６４がノズル４１の噴出筒５１の外側に係合して、噴出孔４４から噴出された液体を泡生成孔６２に導くようになっている。また、ノズルカバー６１のヒンジ部６３とは反対側の一辺には、このノズルカバー６１を開閉操作する際に把持される摘み部６５が一体に設けられている。
【００４６】
このように、ノズルカバー６１を薄肉のヒンジ部６３を介してノズル４１と一体に形成することにより、ノズル４１と別体に形成したノズルカバーをヒンジ等を用いてノズル４１に組み付ける構造とした場合と比べて、ノズル４１の構成を簡素化し、そのコストを低減することができる。
【００４７】
図８に示すように、ノズル４１の角筒体４１ｃの上面には、その後端側かつ両端に位置して一対の保持爪６６が設けられている。これらの保持爪６６はノズルカバー６１の幅に対応した間隔を有し、ノズルカバー６１が開位置となったときにその側部にアンダーカット係合してノズルカバー６１を開状態に保持することができる。
【００４８】
一方、図５、図６に示すように、ノズル４１の角筒体４１ｃの開口端の内側面には、それぞれ開位置側の保持爪６７が設けられ、ノズルカバー６１が閉位置となったときにこれらの保持爪６７がその側部にアンダーカット係合してノズルカバー６１を閉状態に保持することができるようになっている。
【００４９】
ここで、ノズルカバー６１を開状態に保持する保持爪６６が、ノズルカバー６１の側部の摘み部６５が設けられる側の端部に係合するのに対して、ノズルカバー６１を閉状態に保持する保持爪６７は、ノズルカバー６１の側部の摘み部６５とヒンジ部６３との間の部分に係合するようになっている。このように、ノズルカバー６１の保持爪６６、６７と係合する部位を、その開位置と閉位置とで相違させることにより、ノズルカバー６１の保持爪６６、６７との係合による摩耗等を抑制して、その耐久性を高めることができる。
【００５０】
本発明は前記実施の形態に限定されるものではなく、その要旨を逸脱しない範囲で種々変更可能であることはいうまでもない。
【００５１】
例えば、前記実施の形態においては、ノズル４１は装着部４２に回動可能に装着されて開位置と閉位置とに切り替え可能な構成とされるが、このような切り替え機構を備えない構成とすることもできる。
【００５２】
また、前記実施の形態においては、ポンプ２１は環状の区画室２２ｃと円筒状のピストン２４とを備えた構成とされているが、これに限らず、トリガー３４の操作により作動して容器２内の液体を送出口３９に圧送できるものであれば、他の構成のものとすることもできる。
【００５３】
さらに、ノズル４１に設けられる係止突起４６は、外周壁４１ｂの内周面の、外周壁４１ｂの中心軸に沿う方向から見て貫通孔４５と重複する範囲の少なくとも一部に設けられていればよく、また、当該範囲の全体に設けることもできる。
【符号の説明】
【００５４】
１    トリガー式液体噴出器
２    容器
２ａ  口部
１１    噴出器本体
１２    装着筒部
１２ａ  鍔部
１２ｂ，１２ｃ  通気孔
１３    装着キャップ
１３ａ  雌ねじ
１４    シール部材
１５    起立部
１６    延出部
１７    チューブ
１８    筒体
１８ａ  隔壁
２１    ポンプ
２２    シリンダ部材
２２ａ  シリンダ筒部
２２ｂ  区画筒部
２２ｃ  区画室
２３    送出孔
２４    ピストン
２４ａ  シール部
２５    吸入筒部
２５ａ  先端面（弁座）
２６    吸入孔
３１    吸入側逆止弁
３１ａ  弁本体
３１ｂ  弾性部
３２    送出側逆止弁
３２ａ  弁本体
３２ｂ  弾性部
３３    枢軸
３４    トリガー
３４ａ  孔部
３５    連結片
３６    ピン部材
３７    板ばね
３８    吸気孔
３９    送出口
４１    ノズル
４１ａ  隔壁
４１ｂ  外周壁
４１ｃ  角筒体
４１ｄ  閉塞筒部
４１ｅ  切替え筒部
４１ｆ  接続流路
４２    装着部
４３    切替え軸部
４３ａ  凹部
４３ｂ  接続流路
４４    噴出孔
４５    貫通孔
４６    係止突起
４７    突起部
４８    突起
４９    突起
５１    噴出筒
５２    トンネル部
５３    空気導入孔
５３ａ  空気取り入れ口
５３ｂ  空気供給口
６１    ノズルカバー（蓋体）
６２    泡生成孔
６２ａ  貫通孔
６２ｂ  柱状体
６３    ヒンジ部
６４    ボス部
６５    摘み部
６６    保持爪
６７    保持爪
Ｐ１    吸入流路
Ｐ２    送出流路
Ｒ１    逆止弁室
Ｃ    カバー
Ｓ    ストッパ
Ｍ１，Ｍ２  金型
【図１】
2015048121.tif 000003
【図２】
2015048121.tif 000004
【図３】
2015048121.tif 000005
【図４】
2015048121.tif 000006
【図５】
2015048121.tif 000007
【図６】
2015048121.tif 000008
【図７】
2015048121.tif 000009
【図８】
2015048121.tif 000010